Podtech/llm-jp-corpus-v4-ja_patent huggingface dataset:
(57)【要約】      （修正有）【課題】カイロが足に直接当たらないようにするくつ下を提供する。【解決手段】くつ下の中にカイロを入れるとズレる。くつ下の中にカイロを入れると、足にカイロが直接に当たるので、足が熱い。くつ下の外側にポケットをつけて、ポケットの中にカイロを入れると、カイロが足に直接当たらないので、足が熱くならないで、暖かくなる。その上にくつ下をはくと、さらに暖かくなる。カイロ１個を１か所に入れても良い。カイロ２個を２か所に入れても良い。【選択図】図２
2020063544.tif 000002
【特許請求の範囲】
【請求項１】
くつ下にカイロを入れるとズレるので、ズレをなくす為にくつ下にポケットをつける。
【発明の詳細な説明】
【技術分野】
【０００１】この発明はポケットをつけたくつ下に関するものである。
【背景技術】
【０００２】従来、くつ下は、足の大きさに合った大きさの物をはく。
【発明の概要】
【０００３】くつ下には、中に物を入れるとズレるという欠点がある。
本発明は、この欠点をなくす為になされたものである。
【課題を解決する為の手段】
【０００４】くつ下の上下にポケットをつける。つまり、足の甲の部分と、足の裏の部分に、ポケットをつける。
本発明は、以上の構成よりなる、ポケットつきくつ下である。
【発明の効果】
【０００５】（イ）ポケットにカイロを入れられる。
（ロ）ポケットにカイロを入れると、足が暖かい。
【図面の簡単な説明】
【０００６】
【図１】従来のくつ下である。
【図２】本発明の、ポケットつきくつ下である。
【発明を実施する為の形態】
【０００７】以下、本発明を実施する為の形態について説明する。
くつ下の、甲の部分と、足の裏の部分にポケットをつける。
そのポケットにカイロを入れる。
【符号の説明】
【０００８】（１）くつ下
（２）くつ下につけるポケット  足の甲の部分
（３）くつ下につけるポケット、足の裏の部分
【図１】
2020063544.tif 000003
【図２】
2020063544.tif 000004
(57)【要約】【課題】ベランダ隔壁が強風により破損する被害が発生している。耐火性能があり、かつ避難時に破って隣戸に逃げられる構造が必要になる。【解決手段】面材に耐火テープで網代編み（あじろあみ）したシートを、アルミ枠材の溝にはめ込みゴム棒を押し込んで留める構造にする。これを両側に二重構造とする。【選択図】図１
2020063645.tif 000002
【特許請求の範囲】
【請求項１】
マンションにおけるベランダの隣戸との隔壁の面材として耐熱テープを網代編み（あじろあみ）した風を通す材料を使用する。
【請求項２】
取付にはゴム棒を用い押し込んで留める方法とする。
【発明の詳細な説明】
【技術分野】
【０００１】  本発明はマンションベランダ隔壁の形状に関するものである。
【発明の概要】
【発明が解決しようとする課題】
【０００２】マンションにおけるベランダの隣戸との隔壁が強風により破損する被害が発生している。
耐火性能があり、かつ避難時に破って隣戸に逃げられる構造が必要になる。
【発明が解決するための手段】
【０００３】現在の隔壁は不燃板をアルミ枠材で挟んで留めている。
これを耐火テープで網代編みしたシートを、アルミ枠材の溝にはめ込みゴム棒を押し込んで留める構造にする。
これを両側に二重構造とする。
【発明の効果】
【０００４】テープを編み込んでいるため風が抜けるので強風でも飛ばない。
また、避難の際は容易に蹴破ることができ、従来の板の様に破片が残らず安全に通行できる。
しかも二重にすれば従来通り目隠し効果も損なわない。
また復旧も安価で出来る。
【図面の簡単な説明】
【０００５】
【図１】この発明の一実施形態を示す斜視図である。
【図２】平面詳細を示す図である。
【図３】立面を示す図である。
【発明を実施するための形態】
【０００６】この発明の一実施形態を、図１に示す。
アルミ外枠の内側の表裏にＣ型チャンネルのアルミ材で溝を作り両側から耐火テープを用い網代編み（あじろあみ）したシートにゴム棒を押し込んで留める方法とする。
【０００７】「実施形態の効果」
この実施形態によれば、面材がテープで編んであるので隙間が生じるため風が抜けるので強風により破損することがない。
また表裏で二重にすれば目隠し効果は損なわない。
避難時にはお年寄りでも容易に蹴破ることが出来る。
その際シート全体が外れるため安全に通行できる。
【符号の説明】
【０００８】１  面材（耐熱材網代編みシート）
２  ゴム棒
３  アルミ枠材
４  マンションベランダ
５  ベランダ手すり壁
【図１】
2020063645.tif 000003
【図２】
2020063645.tif 000004
【図３】
2020063645.tif 000005
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
マンションにおける、ベランダの隣戸との隔壁の面材として耐熱テープで              網代（あじろ）あみした、風を通し容易に折り曲げられるシート状の材料を使用した壁材。      
【請求項２】
棒状のゴムを用いアルミ枠の溝に押し込んで請求項１に記載の壁を留める方法。
【手続補正２】
【補正対象書類名】明細書
【補正対象項目名】０００３
【補正方法】変更
【補正の内容】
【０００３】
現在多く使われている隔壁は、不燃板をアルミ枠材で挟んで締め付けている。
この隔壁を耐熱テープで網代（あじろ）あみした、風を通し容易に折り曲げられるシート状の材料をアルミ枠材の溝に挟み込んだ上に棒状のゴムを押し込んで摩擦により留める構造にする。これを両面に二重構造とする。
【手続補正３】
【補正対象書類名】明細書
【補正対象項目名】０００４
【補正方法】変更
【補正の内容】
【０００４】
耐熱テープを網代（あじろ）あみした、風を通し容易に折り曲げられるシート状の材料でできているため風が抜けるので強風でも持ちこたえて飛散する心配が無い。
また、避難時にはこのシート状の壁材がアルミ枠材の溝に棒状のゴムで摩擦により留まっているため老人や子供でも容易に蹴破る事ができる。このときシートのまま外れるため尖った破片が残らない事により、通行時に安全に避難が可能である。
しかも二重にすることにより、従来通り目隠し効果も損なうことがない。また、破れずに外れるために復旧も早く安価で施工できる。
(57)【要約】【課題】細長い建設物を長い側に対して細長い側のいろいろな所からの同時の並行な建設である。【解決手段】細長い建設物を長い側に対して細長い側のいろいろな所からの同時の並行な建設である。【選択図】図１
2020063646.tif 000002
【特許請求の範囲】
【請求項１】
細長い建設物を長い側に対して細い側のいろいろな所からの同時の並行な建設である。
【発明の詳細な説明】
【技術分野】
【０００１】細長い建設物を長い側に対して細長い側のいろいろな所からの同時の並行な建設である。
【背景技術】
【０００２】従来の建設は細長い建設物の長い側からの建設である。
【先行技術文献】
【特許文献】
【０００３】
【特許文献１】
【発明の概要】
【発明が解決しようとする課題】
【０００４】工期が長い
【課題を解決するための手段】
【０００５】細長い建設物を長い側に対して細長い側のいろいろな所からの同時の並行な建設である。
【発明の効果】
【０００６】工期が短い
【図面の簡単な説明】
【０００７】同時並行建設である。
【図１】
【発明を実施するための形態】
【０００８】細長い建設物を長い側に対して細長い側のいろいろな所からの同時の並行な建設である。
【符号の説明】
【０００９】１
２
３
【図１】
2020063646.tif 000003
【図２】
2020063646.tif 000004
【手続補正書】
【提出日】平成31年1月21日(2019.1.21)
【手続補正１】
【補正対象書類名】明細書
【補正対象項目名】０００７
【補正方法】変更
【補正の内容】
【０００７】
【図１】  平面図  建設物を同時に並行して建設する平面図である。
【図２】  立休図  建設物を同時に並行して建設する立体図である。
(57)【要約】      （修正有）【課題】細胞を破壊することなく肉片をスライス可能な肉片切断方法を提供する。【解決手段】肉片切断方法は、肉片１０をゼラチンまたは寒天等のゲル８で固定する固定工程と、円形カッター１６でゼラチンまたは寒天等のゲル８と共に肉片１０を切断する切断工程と、から構成される。【選択図】図３
2020063950.tif 000002
【特許請求の範囲】
【請求項１】
肉片を切断する肉片切断方法であって、
肉片をゼラチンまたは寒天等のゲルで固定する固定工程と、
円形カッターでゼラチンまたは寒天等のゲルと共に肉片を切断する切断工程と、
から少なくとも構成される肉片切断方法。
【発明の詳細な説明】
【技術分野】
【０００１】
本発明は、肉片を切断する肉片切断方法に関する。
【背景技術】
【０００２】
がん細胞等の微細な肉片をスライスして検査する場合には、肉片を切断する際の肉片の移動を抑制するため、肉片を凍結させた後にスライスして顕微鏡で観察することが行われている（たとえば特許文献１参照。）。
【先行技術文献】
【特許文献】
【０００３】
【特許文献１】特開２０１１−２３２２９９号公報
【発明の概要】
【発明が解決しようとする課題】
【０００４】
しかし、肉片を凍結することによって細胞が破壊されてしまう場合がある。
【０００５】
上記事実に鑑みてなされた本発明の課題は、細胞を破壊することなく肉片をスライス可能な肉片切断方法を提供することである。
【課題を解決するための手段】
【０００６】
上記課題を解決するために本発明が提供するのは以下の肉片切断方法である。すなわち、肉片を切断する肉片切断方法であって、肉片をゼラチンまたは寒天等のゲルで固定する固定工程と、円形カッターでゼラチンまたは寒天等のゲルと共に肉片を切断する切断工程と、から少なくとも構成される肉片切断方法である。
【発明の効果】
【０００７】
本発明が提供する肉片切断方法は、肉片をゼラチンまたは寒天等のゲルで固定する固定工程と、円形カッターでゼラチンまたは寒天等のゲルと共に肉片を切断する切断工程と、から少なくとも構成されているので、肉片を切断する際の肉片の移動をゲルで抑制することができ、肉片を凍結しなくても肉片をスライスすることができる。したがって、本発明の肉片切断方法によれば、肉片を凍結することによる細胞の破壊を回避して肉片をスライスすることができる。
【図面の簡単な説明】
【０００８】
【図１】支持基板をチャックテーブルに載置する状態を示す斜視図、（ｂ）支持基板がチャックテーブルに保持された状態を示す斜視図。
【図２】（ａ）固定工程を実施している状態を示す斜視図、（ｂ）肉片にゼラチンを被せた状態を示す断面図。
【図３】（ａ）切断工程を実施している状態を示す斜視図、（ｂ）切断された肉片の斜視図。
【発明を実施するための形態】
【０００９】
以下、本発明に係る肉片切断方法の好適実施形態について図面を参照しつつ説明する。
【００１０】
図示の実施形態では、まず、チャックテーブルの上面で支持基板を保持する支持基板保持工程を実施する。支持基板保持工程では、たとえば図１に示すチャックテーブル２を用いることができる。チャックテーブル２の上端部分には、吸引手段（図示していない。）に接続された多孔質の吸着チャック４が配置され、チャックテーブル２においては、吸引手段で吸着チャック４の上面に吸引力を生成することにより吸着チャック４の上面に載せられた被加工物を吸引保持するようになっている。また、チャックテーブル２は、上下方向に延びる軸線を中心として回転自在に構成されていると共に、図１に矢印Ｘで示すＸ軸方向に移動自在に構成されている。そして、支持基板保持工程では、図１に示すとおり、テープやガラス基板等の適宜の支持基板６をチャックテーブル２の上面で吸引保持する。
【００１１】
支持基板保持工程を実施した後、肉片をゼラチンまたは寒天等のゲルで固定する固定工程を実施する。図示の実施形態では図２（ａ）に示すとおり、チャックテーブル２に吸引保持された支持基板６の上面に、ゼラチンまたは寒天等の適宜の弾性を有するゲル８を載せ、次いでゲル８の上部に肉片１０を載せて、ゲル８により肉片１０を固定する。なお、固定工程では、図２（ｂ）に示すとおり、支持基板６の上面に肉片１０を載せ、次いでゼラチンまたは寒天等を所要溶解温度で溶かした液体８’を滴下した後、所要凝固温度で液体８’冷却し、ゲル８を肉片１０に被せて、ゲル８により肉片１０を固定してもよい。
【００１２】
固定工程を実施した後、円形カッターでゼラチンまたは寒天等のゲル８と共に肉片１０を切断する切断工程を実施する。切断工程は、たとえば図３に一部を示す切断装置１２を用いて実施することができる。切断装置１２は、回転自在に構成されたスピンドル１４と、スピンドル１４の先端に固定された円形カッター１６とを含む。適宜の超硬材料から形成され得る円形カッター１６の厚みは、たとえば２０μｍ程度でよい。
【００１３】
図３を参照して説明を続けると、切断工程では、まず、切断装置１２の円形カッター１６を肉片１０の上方に位置づける。次いで、図３（ａ）に矢印Ａで示す方向に円形カッター１６を高速回転させ、円形カッター１６の刃先をゲル８および肉片１０に切り込ませると共に、切断装置１２に対して相対的にチャックテーブル２をＸ軸方向に加工送りすることにより、ゲル８と共に肉片１０を切断する。なお、切断された肉片１０の例を図３（ｂ）に示す。
【００１４】
以上のとおりであり、図示の実施形態では、肉片１０をゼラチンまたは寒天等のゲル８で固定する固定工程と、円形カッター１６でゼラチンまたは寒天等のゲル８と共に肉片１０を切断する切断工程と、から少なくとも構成されているので、肉片１０を切断する際の肉片１０の移動をゲル８で抑制することができ、肉片１０を凍結しなくても肉片１０をスライスすることができる。したがって、図示の実施形態では、肉片１０を凍結することによる細胞の破壊を回避して肉片１０をスライスすることができる。
【符号の説明】
【００１５】
８：ゲル
１０：肉片
１６：円形カッター
【図１】
2020063950.tif 000003
【図２】
2020063950.tif 000004
【図３】
2020063950.tif 000005
(57)【要約】      （修正有）【課題】スライス厚さの調整が行える、一体成型された安価なスライサーを提供する。【解決手段】スライサー本体とスライサー板２と勾配部３は樹脂で一体成型されたもので、スライサー板２は、刃部５側と左右のスライダ縁部側には僅かな隙間があり、持ち手側は、強度を持たせながら溝６を中心にスライサー板２が僅かに回転できるように薄くする。スライサー板の刃部５付近の左右端の裏表に成形された勾配部３は逆向きに成形する。勾配部３に、スライダー４を、向きが上下に異なる勾配部３の高さと同じ高さを有するスライダー４の内幅Ｃをスライサー本体の端から入れ、先ほどの勾配部３に嵌め込み、スライダー４をスライドさせることでスライダー板２が上下し、食材の厚さを調整する。【選択図】図３
2020044642.tif 000002
【特許請求の範囲】
【請求項１】
本発明のスライサー本体（１）とスライサー板（２）と勾配部（３）は樹脂で一体成型されたもので、スライサー板（２）は刃部（５）側と左右のスライダ縁部（８）側には僅かな隙間があり、持ち手側は強度を持たせながら縁部とは接続しており、溝（６）を中心にスライサー板が僅かに回転するほどにスライダー板（２）より薄くする。
【請求項２】
スライダー板の刃部（５）付近の左右の裏表に成形された勾配部（３）は、５°から１０°程の勾配が逆向きに成形する。
【請求項３】
その勾配部に、別に射出成型で作ったスライダー（４）を、向きが上下に異なる勾配部（３）の高さと同じ高さを有するスライダーの内幅Ｃ部をスライサー（１）本体の端から入れ、先ほどの勾配部（３）に嵌め込み、そのスライダー（４）をスライドさせることで、スライダー板（２）が上下し、食材の厚さを調整できるスライサーである。
【発明の詳細な説明】
【技術分野】
【０００１】  本発明は、食材などを均一な厚さでスライスできるスライサーに関する物である。
【背景技術】
【０００２】  一体成形された安価なスライサーは、食材の厚さを調整できる機能が付いてない。
厚さ調整が行えるスライサーは、ねじ型、スライド式、ダイヤル式などの方法で行われ、厚さ調整機能や多機能がが付いているスライサーは構造も複雑で高価である。
【先行技術文献】
【特許文献】
【０００３】
【特許文献１】特開２０１４−１０８２９号公報
【特許文献２】特願２０１１−１５６４３５号公報
【特許文献３】特開２００８−１３６５５１号公報
【特許文献４】特開２００７−９７７５５号公報
【特許文献５】特開平１１−３１８７２４号公報
【特許文献６】特開平９−１７３２２３号公報
【発明の概要】
【発明が解決しようとする課題】
【０００４】  従来の安価なスライサーは、食材の厚さを調整できる機能が付いていないので、厚く切りたいときはバラつきは出るが、包丁を使って切る方法しかなかった。
また、厚さ調整ができるスライサーは構造が複雑で部品点数も多く、高価であった。
本発明は、このような問題を解決するためになされたものである。
【課題を解決するための手段】
【０００５】  以下、本発明を実施するための形態について説明する。
スライサー本体と食材をスライドさせるスライサー板と勾配部は樹脂で一体成型されており、食材を往復運動させるスライサー板の刃側と、スライサー板とスライサー縁部には僅かかな隙間があり、なおかつ取っ手側のスライサー板には、スライダー板より薄くすることで外力を加えたときに溝を中心として回転するほどの強度を持たせた溝がある。
そして、スライサー板の刃付近の左右の裏表には、同じ勾配を持った向きが異なる勾配部がスライサー板に一体成型してある。
その勾配部に、別に射出成型で作ったスライダーを、向きが異なる勾配部の上下の高さと同じ高さを有するスライダーの内幅Ｃ部をスライサー本体の縁から入れ、先ほどの勾配部に嵌め込み、そのスライダーをスライドさせることで、スライダー板が上下し、食材の厚さを調整できる。
できれば、スライサー本体縁に、そのスライダーをどれぐらい動かせば、どれぐらいのスライスができるかの表示があるとよい。
以上が、本発明の特徴である。
【発明の効果】
【０００６】  本発明は、上記の手段により食材のスライス厚さを調整でき、なおかつ部品点数が減り安価なスライサーを提供することができる。
【図面の簡単な説明】
【０００７】
【図１】  本発明の斜視図である。
【図２】  本発明の平面図である。
【図３】  本発明のＡ−Ａ断面図で、スライダーを左に移動させることで、スライサー板が上がり、薄くスライスできる状態の説明図である。
【図４】  本発明のＡ−Ａ断面図で、スライダーを右に移動させることで、スライサー板が下がり、厚くスライスできる状態の説明図である。
【図５】  本体のＢ−Ｂ断面図である。
【発明を実施するための形態】
【０００８】  以下、本発明を実施するための形態について説明する。
本発明のスライサー本体（１）とスライサー板（２）と勾配部（３）は樹脂で一体成型されたもので、スライサー板（２）は刃部（５）側と左右のスライダ縁部（８）側には僅かな隙間があり、なおかつ取っ手（７）側のスライサー板には、スライダー板（２）より薄くすることで外力を加えたときに溝（６）を中心として回転するほどの強度を持たせた溝（６）がある。
スライダー板の刃部（５）付近の左右の裏表には成形された向きが異なる勾配部（３）は、５°から１０°程の勾配が逆向きに成形されているが、その勾配は左右のスライダー（図２）の長さａとｂによって、角度は多少異なるので、スライサー板（２）が平均的に上下するためには（図２）のａとｂの長さを考慮して勾配部の角度を決める必要がある。
その勾配部に、別に射出成型で作ったスライダー（４）を、向きが上下に異なる勾配部（３）の高さと同じ高さを有するスライダーの内幅Ｃ部（図３）をスライサー（１）本体の端から（図５）のように挿入し、先ほどの勾配部（３）に嵌め込み、そのスライダー（４）をスライドさせることで、スライダー板（２）が上下し、食材の厚さを調整できる。
本発明は以上のような構造である。
本発明を使用するときは、（図３）のスライダー（４）を左に移動させることで、すライダー（４）の接触部が勾配部（３）を移動することによって、スライサー板（２）が、それに合わせて上に移動し、食材を薄くスライスすることができる。
また（図４）のスライダー（４）を右に移動することによって、先ほどとは逆にスライダー板（２）が下に移動し、食材を厚くスライスすることができる。
なお、スライダー（４）を移動させることによって、スライダー（４）付近にスライサー縁部（９）にスライス厚さが分かる数字を射出成型時に刻むと良い。
【符号の説明】
【０００９】１    スライサー本体
２    スライサー板
３    勾配部
４    スライダー
５    刃部
６    溝
７    取っ手
８    スライサー縁部
ａ    スライサー長さ  ａ
ｂ    スライサー長さ  ｂ
ｃ    内幅
【図１】
2020044642.tif 000003
【図２】
2020044642.tif 000004
【図３】
2020044642.tif 000005
【図４】
2020044642.tif 000006
【図５】
2020044642.tif 000007
(57)【要約】      （修正有）【課題】歯ブラシの毛先全面が、歯の曲面に接地する為、ブラシの振動が歯の内外共、隅々まで行き渡り、簡単に綺麗に磨くことができる、歯ブラシを提供する。【解決手段】電動歯ブラシから分離された歯ブラシの電動取り付けハンドルのブラシ付根５を２０度から２５度位くの字型にブラシ側に曲げる。【選択図】図５
2020044310.tif 000002
【特許請求の範囲】
【請求項１】
電動歯ブラシから分離された歯ブラシ（１）の電動取り付けハンドルのブラシ付根（５）を２０度から２５度位ブラシ頭部（７）をくの字型にブラシ側に曲げると、歯の曲面とブラシ曲面が自然な形で角度が口内で接地され歯の外面、内面共に、電動で動くブラシの毛先の振動が歯の曲面とブラシの曲面が合体して電動歯ブラシの効果を倍増する。
【発明の詳細な説明】
【発明の詳細な説明】
【０００１】
【技術分野】
【０００２】  本発明は従来の電動歯ブラシと交換用歯ブラシを含めすべての歯ブラシはハンドルとブラシ部分が真直ぐであったが、本案はブラシの付け根をブラシ側にくの字型に曲げ、歯の曲面にブラシ曲面を平均に接地させる目的で開発されたもので、ブラシが歯全面に接地して従来の歯ブラシの磨き効果を倍増したものである。
【背景技術】
【０００３】  従来の電動歯ブラシは縦、横、左右の振動型で磨くのには最適であったが肝心の毛先全面にブラシが歯に接地しないまま振動に導かれ十分な歯磨き効果が得られなかった。本案の電動くリーン歯はブラシを内側に曲げ歯と同じ曲面に接地させることによりブラシが歯全面に接地して歯磨き効果が倍増される。
【発明の開示】
【発明を解決しようとする課題】
【０００４】  従来の電動歯ブラシはブラシ部分とハンドルが真直ぐに構成されているため、歯ブラシの毛先が歯の曲面に十分接地されずにブラシの振動によって歯垢の除去を行っていたが、本案の電動くリーン歯はブラシの首部分を内側に曲げることにより口内でブラシの曲面と歯の曲面が接地して口内の外面、内面、特に奥歯の後ろ側すべての部分にブラシ面が歯に接地して口内での違和感もなく電動歯ブラシを動かすことにより本案のブラシで大人、子供も関係なく誰でも簡単に歯磨き効果を発揮できる電動くリーン歯である。
【発明の実施形態】
【０００５】以下、本発明の実施の形態について説明する
【発明の効果】
【０００６】  歯ブラシと云えば毎日欠かせないもので近年従来型歯ブラシから電動歯ブラシに転換しつつありますが、電動歯ブラシはブラシ先端を振動させ歯垢除去、歯茎のケアを行うものであるが、従来の電動替ブラシのハンドルは真直ぐに構成されていたが、本案の電動くリーン歯はブラシの付け根を２０度〜２５度位ブラシ側に曲げることによりブラシの曲面と歯の曲面が一致することにより毛先全面が歯の外曲面、内曲面に接地するため、歯ブラシの毛先全面が有効に働き従来の歯ブラシ効果が、倍増、違和感もなく大人、こどもを含め歯垢除去、歯周病に歯磨き効果を発揮できる電動くリーン歯である。
【図面の簡単な説明】
【０００７】
【図１】本発明の正面図
【図２】本発明の頭面図
【図３】本発明の背面図
【図４】本発明の底面図
【図５】本発明の右側面図
【図６】本発明の左側面図
【図７】本発明の斜視図
【発明を実施するための形態】
【０００８】  図１、（１）電動歯ブラシのハンドル
図５，図６（５）くの字型に曲げ本案の特許習得をする部分である。
図６、（４）電動接続部分である。
【符号の説明】１  電動歯ブラシのハンドル
２  歯ブラシのブラシ部分
３  歯ブラシの先端部分
４  ブラシと本体の接続部
５  本案の特許習得をしょうとする部分である
６  電動歯ブラシの実態図である
７  電動歯ブラシの頭部
【図１】
2020044310.tif 000003
【図２】
2020044310.tif 000004
【図３】
2020044310.tif 000005
【図４】
2020044310.tif 000006
【図５】
2020044310.tif 000007
【図６】
2020044310.tif 000008
【図７】
2020044310.tif 000009
(57)【要約】【課題】  揚げ物等油を用いた調理時に、箸等の調理器具に装着して使用する、油はね火傷防止シートを提供する。【解決手段】  適当形状のシート本体の適宜位置に一個の固定部を設け、箸等の調理器具１本ずつにシートを装着し使用することを特徴とする油はね火傷防止シート。【選択図】図１
2020044302.tif 000002
【特許請求の範囲】
【請求項１】
シート本体に箸やトング等の調理器具の固定部を設けたことを特徴とする油はね火傷防止シート。
【発明の詳細な説明】
【技術分野】
【０００１】  本発明は、揚げ物等油を用いた調理で使用する、油はね火傷防止シートに関するものある。
【背景技術】
【０００２】  従来、揚げ物等の調理の際、油はねによって、しばしば手や腕に火傷、もしくは火傷まで至らずしも、油はねによりかなり痛い思いをしてきた。
鍋蓋等で手元をガードするにも、手元を完全には覆えず、火傷の恐怖と闘いながらの調理となる事があった。
【先行技術文献】
【特許文献】
【０００３】
【特許文献１】実開昭５９−１３５２号公報  前記の課題を解決するこの油はね火傷防止シートは、シート本体に２個の箸貫通孔を設け貫通孔の間に伸縮部を設けてなるもので、貫通孔に箸を装着し、箸で物を掴むための箸の開閉動作を、伸縮部の伸縮動作で可能にしているものである。
【特許文献２】実開平０５−０７４４４４号公報  また、この油はね火傷防止シートは、シート本体の適宜位置に、箸貫通孔を設け、また箸貫通孔に隣接して長孔様の箸移動部を設け、その箸移動部で一方の箸を動作し、通常の箸さばきを可能にしているものである。
【発明の概要】
【発明が解決しようとする課題】
【０００４】  前記特許文献においては、次のような課題があった。
（イ）特許文献１−箸の開閉動作に際して伸縮部が障害となって、箸を使う指の微妙な感触により揚げ加減を観たり、また箸の開閉動作を頻繁に行うには不適当である。
（ロ）特許文献１−構造的観点からコスト高になると思われる。
（ハ）特許文献２―長孔様の箸移動部が隙間となり、完全な油はねの防御になりえない。
（ニ）特許文献２―長孔様の箸移動部にて一方の箸を動作する事で、シートが左右に揺すられるのでずれ落ちる可能性が高くなる。
またずれ落ち防止に箸貫通孔を狭くすると、箸さばきに支障が生じる。
本発明は、以上のような問題点をなくすためになされたものである。
【課題を解決するための手段】
【０００５】  本発明は、適当形状のシート本体の適宜位置に一個の切り込み状の固定部を設け、箸等の調理器具１本ずつにシートを装着し使用することを特徴とするものである。
【発明の効果】
【０００６】（イ）箸等の調理器具一本ずつに、シートを装着する事で、箸等の調理器具のあらゆる動作を全く障害なく行う事が出来、装着によるストレスは生じない。
また、箸等を可動させた際に接触するシートの縁部分が直線状ではなく円弧状になっているので、よりスムーズな箸の動作を可能にする。
（ロ）単純な形状によりコストが安く済む。
（ハ）３６０度隙間なく油はねを防ぐ事が出来、安心して調理が行える。
（ニ）固定部の切り込み部分がシートのずり落ちを防止しており、また、別々のシートを使用しているため、一方の箸等の調理器具の動きによるずり落ちの心配がない。
【図面の簡単な説明】
【０００７】
【図１】  本発明の正面図である。
【図２】  本発明の使用状態を示した断面図である。
【図３】  本発明の使用状態を示した斜視図である。
【発明を実施するための形態】
【０００８】以下、本発明を実施するための形態について説明する。
本体（１）は、不燃加工紙、ガラス系紙、準不燃加工紙、アルミホイル、またはシリコン等の樹脂、等々の材質から作られている。
形状は、円盤状で、適当一部を切り落とす。
切り落とす部分（２）は円弧状にする。
中心近くに箸を固定するための、切り込み（３）を一か所入れる。
また、箸等固定した際、破れる可能性のある素材の場合は、切り込み（３）の周囲にシール等の補強材（４）を貼る。
本発明は、以上のような構造である。
本発明を使用する時は、本体シートを２枚使用し、箸等の調理器具一本にシート一枚を装着する。
装着の際は調理器具の先端部分から挿入する事で、切り込み部分がずれ落ち防止に役立つ。
円弧状の切り落とし部分をそれぞれ内側にして、３６０度隙間のない油はね火傷防止シートとなる。
【符号の説明】
【０００９】  １    本体
２    円弧状の形状
３    箸等の調理器具固定部の切り込み
４    シール等の補強材
５    箸
【図１】
2020044302.tif 000003
【図２】
2020044302.tif 000004
【図３】
2020044302.tif 000005
(57)【要約】【課題】  本発明は弁当でメッセージを伝える時に、簡単に作れて他人の目にも触れにくいように、弁当箱の底にメッセージを印刷したシールを提供する。【解決手段】弁当箱（１）の底にメッセージを印刷したシール（２）を貼ることを特徴とする。【選択図】図１
2020044308.tif 000002
【特許請求の範囲】
【請求項１】
弁当箱（１）の底にメッセージを印刷したシール（２）を貼る、弁当箱メッセージシール。
【発明の詳細な説明】
【技術分野】
【０００１】  本発明は、弁当箱の底にメッセージを印刷したシールを貼る弁当箱メッセージシールに関するものである。
【背景技術】
【０００２】  従来はお弁当でメッセージを作る時は海苔やおかずでメッセージを作っていた。
【先行技術文献】
【特許文献】
【０００３】
【特許文献１】
【発明の概要】
【発明が解決しようとする課題】
【０００４】  従来弁当でメッセージを作るのには手間がかかっていた。また、お弁当を開けるとメッセージが見えるため、他人の目にも留まり易くなっていた。本発明は以上のような欠点を無くすためになされたものである。
【課題を解決するための手段】
【０００５】  弁当箱（１）の底にメッセージを印刷したシール（２）を貼る。
本発明は、以上の構成よりなる弁当箱メッセージシールである。
【発明の効果】
【０００６】  シールになっているため手間が省ける。
弁当箱の底に貼る為、他人の目に留まりにくい。
【図面の簡単な説明】
【０００７】
【図１】  本発明の斜視図である。
【図２】  本発明の断面図である。
【発明を実施するための形態】
【０００８】  以下、本発明を実施するための形態について説明する。
弁当箱（１）の底にメッセージを印刷したシール（２）を貼る。
本発明は以上のような構造である。
これを使用する時は、弁当箱の底にシールを貼った後に、ご飯やおかずを詰めていく。  食べていくうちにメッセージが出てくる。
【符号の説明】
【０００９】  １  弁当箱
２  シール
【図１】
2020044308.tif 000003
【図２】
2020044308.tif 000004
(57)【要約】      （修正有）【課題】１分間の使用後から２０分程度経過しても皮膚温が上昇するあんぽう器を提供する。【解決手段】ピーク波長が７４０ｎｍ〜７６０ｎｍの光を用いることで、皮下血管網の血行促進効果が得られる赤色光あんぽう器である。７４０ｎｍ〜７６０ｎｍの光は、１分間の治療時間で、皮膚の皮下血管網に到達して吸収され、眼瞼などの部位の皮膚内の血行を促進させる。加えて、皮膚温の変化を測ることで、治療後の血流量の増加を確認することができる。【選択図】図１
2020044307.tif 000002
【特許請求の範囲】
【請求項１】
１分間と短い治療時間で、皮膚の皮下血管網に到達して吸収され、血行を促進させるピーク波長が７４０ｎｍ〜７６０ｎｍの赤色ＬＥＤの光を用いたあんぽう器で、眼瞼などの部位の皮膚内の血行を促進させ、かつ治療後の血流量の増加を確認する方法として、皮膚温の変化を測ることで、血流量の増加を確認できることを特徴とする赤色光あんぽう器。
【発明の詳細な説明】
【技術分野】
【０００１】本発明は、ピーク波長が７４０ｎｍ〜７６０ｎｍの光を用いることで、皮下血管網の血行促進効果が得られる赤色光あんぽう器に関するものである。
【背景技術】
【０００２】従来の温熱療法としては、ホットパックや温浴などの伝熱によるものがあり、光線治療としては、赤外線治療器などがある。眼瞼用のあんぽう器としては、７４０ｎｍの赤色ＬＥＤを用いた片眼用あんぽう器がある（例えば、特許文献１）。【０００３】また、赤外線治療器は赤外線の領域である７７０ｎｍから１２，０００ｎｍまでの幅広い光を用いている。一方、特定の波長を用いている本出願人の提案に係る赤色光あんぽう器は、特定の波長の光が皮膚の深部組織にまで到達することを前提にしている（非特許文献１）。
【先行技術文献】
【特許文献】
【０００４】
【特許文献１】特願２０１７−７５５６２
【非特許文献】
【０００５】
【非特許文献】「皮膚組織と赤外線放射吸収比率」  照明学会誌  Ｖｏｌ．７４．Ｎｏ．１２．１９９０  ｐ．２６〜２７
【発明の概要】
【発明が解決しようとする課題】
【０００６】解決しようとする課題は、伝熱による血行促進を目的にしたホットパックや温浴などが、皮膚の表皮までを温めているため、使用後または出湯後に皮膚温が低下して、５分から１０分後には元の皮膚温に戻り、血行促進効果が得られない点にある。
【課題を解決するための手段】
【０００７】本発明は、特定の波長である７４０ｎｍから７６０ｎｍの赤色光あんぽう器を１分間照射することで、あんぽう器の赤色光が皮下血管網に到達して吸収され、血行が促進されるとともに、皮膚温も上昇する。その結果、１分間使用後から２０分程度経過しても皮膚温が上昇する。
【発明の効果】
【０００８】本発明は、短い１分間の使用で血流を増加させることと、加えて、皮膚温を支配するのは血流量であり（日本サーモロジー学会）、血行が促進されて、血流量が増加すると皮膚温が上昇する。このため、皮膚温を測定することで、皮膚内の血流量の変化を確認することができる。
【図面の簡単な説明】
【０００９】
【図１】  本発名の眼瞼用の実施方法を示した説明図である。
【図２】  本発明の眼瞼用以外の実施方法を示した説明図である。
【発明を実施するための形態】
【００１０】赤色光あんぽう器１の電源はＵＳＢ電源か単四乾電池２本を使用するが、単四乾電池を使用する場合は、本体ケースに単四乾電池ボックスを利用することができる。また、赤色ＬＥＤ４は眼瞼用１本、眼瞼用以外には必要により２本以上使用することもできる。また、必要によりパッド３が皮膚に直接触れないように、ラップフィルムを使用することもできる。
【００１１】図１は、本発明の眼瞼用の実施例で、１は赤色光あんぽう器で、本体ケース２の上にスポンジ材のパッド３が取り付けられている。パッド３の中央に７４０ｎｍの赤色ＬＥＤ４が１本設置され、本体ケース２の電源スイッチ５に接続されている。電源にはＵＳＢ電源を使用するためＵＳＢ電源コード６を使用している。
【００１２】図２は、眼瞼用以外の実施例で、パッド３の形状も眼瞼用よりも大きくして、ハンデイタイプにするために電源も乾電池にしたもので、血流不足が原因の皮膚の疾患である褥瘡などのあんぽう器として、または育毛などにも使用することができる。また、皮膚疾患のサイズにより赤色光あんぽう器１を複数台使用することもできる
【００１３】以下、使用手順について説明する。図１と図２の使用手順は同じで、まず、ＵＳＢ電源ケーブル６をＡＣアダプターに接続し、または乾電池を確認してから、本体ケース２の電源スイッチ５をＯＮにして、７４０ｎｍの赤色ＬＥＤ４の点灯を確認してから、眼瞼または眼瞼以外の部位に１分間当てる。使用時間は１分間で充分であるが、１分間以上使用することもできる。また、必要であれば１分間のタイマーを内蔵させることもできる。
【００１４】
【表１】
2020044307.tif 000003
【００１５】上記表１は、赤色光あんぽう器を１分間瞼に当て、使用後の瞼皮膚温の実測値を表したものであり、使用直後から１０分経過しても皮膚温が上昇している。皮膚温の測定は熱電対温度計で計測したものである。
【００１６】次の表２は、非特許文献１の（皮膚組織と赤外線放射比率）の表であり、波長の単位がミクロンメーター（μ）で表示されているため、７４０ｎｍは０．７４μになる。この表から０．７５μ付近の波長は、皮膚組織にもっとも深く浸透して皮下組織に２５％、深部組織に５％まで到達して吸収され、皮下血管網の血行が促進される。実際に７００ｎｍの光と７４０ｎｍの光による血流量の比較をしたところ、７４０ｎｍの方が５〜１０％増加している。
【００１７】
【表２】
2020044307.tif 000004
【符号の説明】
【００１８】  １  赤色光あんぽう器
２  本体ケース
３  パッド
４  ７４０ｎｍ赤色ＬＥＤ
５  電源スイッチ
６  ＵＳＢ電源コード
【図１】
2020044307.tif 000005
【図２】
2020044307.tif 000006
(57)【要約】      （修正有）【課題】お玉や菜箸などをお鍋に掛けたとき安定してお玉を保持する器具を提供する。【解決手段】鍋の淵に安定して固定できる部分を設ける、お玉や菜箸を安定して保持し、且つガス火の熱からお玉の取っ手や菜箸を守る器具を提供する。動物のキャラクターを用いて前後を分かりやすくする。【選択図】図６
2020141817.tif 000002
【特許請求の範囲】
【請求項１】
鍋淵に固定する部分とお玉を保持する部分を一体に成形してお玉を安定して保持するお玉受け器具。
【請求項２】
お玉受けの取っ手をガス火などで焦がさないように保護するお玉受け器具。
【請求項３】
動物やヒーローなどのキャラクターを前面に用いて前後を分かりやすくするお玉受け。
【発明の詳細な説明】
【技術分野】
【０００１】
本発明は、お玉や菜箸などをお鍋に掛けたとき安定してお玉を保持する器具に関する。
【背景技術】
【０００２】
従来、お玉を用いる際にお玉を安定して置くために皿状のお玉受けを用意して外に置く例が多かった。以上からお玉受けは場所を取り邪魔になっていた。
現実にはお玉を鍋に掛けたままでガス火にかけて温める例が多く見られた。その場合お玉は鍋の中で滑るためプラスチックや木製のお玉の取っ手が鍋の淵に掛りガス火で焦げたり燃える事故も起きていた。
お鍋が大きい場合はお玉自体が鍋の中に落ちてしまう場合もあった。
それを防ぐためにお玉の柄に鍔状の器具を付けて鍋の中に落ちないように工夫した器具も見られた。
また鍋の取っ手部分にお玉の柄と取っ手を収容する溝を設ける例もあった（例えば、特許文献１参照）。
【特許文献１】特開２００４−３１３６９８号公報
【発明の概要】
【課題を解決するための手段】
【０００３】
鍋の淵に固定する部分とお玉の取っ手を保持する部分とで成形する。お玉を保持する部分はガス火がお玉の取っ手や菜箸に直接当たらないようにある程度の長さと、例えガス火の高熱が当たっても保持する部分を保護する幅を持たせる。
耐熱鋼であるステンレスや陶磁器などを用いるので焦げることも燃えることも無い。
【０００４】
動物のキャラクターを用いることで前後の方向が分かりやすく鍋に設置する場合に間違えにくくする。
【発明が解決しようとする課題】
【０００５】
以上に述べた特許文献では、お玉を鍋淵に安定して設置するためにお鍋の取っ手の上に設置する溝を設け取っ手を鍋の取っ手に収容するものであった。しかし鍋ごとに設置するのは高価となり煩雑であった。取っ手を握り難くして安全性を損なう危険もあった。
【０００６】
本発明は、このような従来の構成が有していた問題を解決しようとするものであり、いかなる鍋やフライパンなどに於いてもお玉を安定して置き、お玉の取っ手をガス火などから保護することを目的とするものである。
本発明は上記目的を達成するために鍋の淵に掛かる部分とお玉などを受ける部分とで構成する。
【発明の効果】
【０００７】
構造が簡単で小型にできるので器具が邪魔にならない。
【０００８】
以上から本発明は安定してお玉を受けて鍋内に落ちることがない。
【０００９】
本発明によりお玉などの取っ手をガス火の高熱から保護できる。
【００１０】
キャラクター付きの本発明は顔があるので存在感があり使用するときに前後を間違えにくくする効果がある。
【図面の簡単な説明】
【００１１】
【図１】本発明を板金を用いて実施した斜視図
【図２】図１の実施例を右から見た側面図
【図３】図1の本発明を鍋に設置しお玉を置いた斜視図
【図４】本発明を鋳物や陶磁器で実現した斜視図
【図５】本発明の図４における右側面図
【図６】本発明の図４においてキャラクターを用い実際にお玉を設置した側面図
【図７】図６の実施例の斜視図
【発明を実施するための形態】
【００１２】
以下、本発明の実施の形態を図１〜図７に基づいて説明する。
【００１３】
図においては、１は鍋の内側にあって２の鍋の外側にある支持器具でと共に挟み込み鍋の側面に固定する。
【００１４】
３はバネの働きをする折り曲げた部分である。
【００１５】
４はお玉などを置く部分であって５の側面の立ち上げ部分の底になる。
【００１６】
５はお玉の取っ手を掛ける部分である。
【００１７】
６はお玉本体である。
【００１８】
７はお玉の取っ手である。
【００１９】
８はお鍋の側壁である。
【符号の説明】
【００２０】
１  鍋の淵に固定する内側部
２  淵にしっかりと固定する外側部。
３  ２の外側部を鍋壁に押し付けるバネ部
４  お玉の柄部分を支える溝状の底部
５  お玉の取っ手を止める立ち上がり
６  お玉
７  お玉の取っ手
８  鍋の側壁
【図１】
2020141817.tif 000003
【図２】
2020141817.tif 000004
【図３】
2020141817.tif 000005
【図４】
2020141817.tif 000006
【図５】
2020141817.tif 000007
【図６】
2020141817.tif 000008
【図７】
2020141817.tif 000009
(57)【要約】【課題】スロープを収納する際に取手がスムーズに格納されるスロープの取手構造の提供を目的とする。【解決手段】スロープを展開操作するための取手の取付構造であって、前記スロープは展開操作する取手と、前記取手を回動可能に取り付けるための取付部とを有し、前記取付部は取付孔を有し、前記取手は前記取付孔に挿通連結した取付軸部を有し、前記取付孔は長孔形状になっていることを特徴とする。【選択図】  図１
2020141832.tif 000002
【特許請求の範囲】
【請求項１】
スロープを展開操作するための取手の取付構造であって、
前記スロープは展開操作する取手と、前記取手を回動可能に取り付けるための取付部とを有し、
前記取付部は取付孔を有し、前記取手は前記取付孔に挿通連結した取付軸部を有し、
前記取付孔は長孔形状になっていることを特徴とするスロープの取手取付構造。
【請求項２】
前記長孔形状の長軸方向の長軸中心線とスロープ面との連結角（θ）は鋭角であることを特徴とする請求項１記載のスロープの取手取付構造。
【発明の詳細な説明】
【技術分野】
【０００１】
本発明は、スロープを反転操作するために取り付けられている取手の取付構造に関する。
【背景技術】
【０００２】
自動車やバス等に車椅子等が乗降できるように車両のフロアから車外側に反転し、スロープ面を形成できるスロープ装置が特許文献１等に提案されている。
スロープには、特許文献１には記載がないが、使用時に車外に向けて展開操作し、使用しない時には車室内側に反転収納しやすいように取手が取り付けられている。
しかし、従来の取手の取付構造は、取手にシャフト状の取付軸部を形成し、この取付軸部を回動可能に連結した取付孔を有しているが、この取付孔の断面形状が円孔になっていた。
そのために、スロープを車室内側に反転収納する際に取手の取付軸部が円孔に沿って回動することなく、そのままスロープ荷重を受けたまま、スロープ面が取手により浮き上がった状態になる場合があった。
【先行技術文献】
【特許文献】
【０００３】
【特許文献１】特開２０１５−２３９５８号公報
【発明の概要】
【発明が解決しようとする課題】
【０００４】
本発明は、スロープを収納する際に取手がスムーズに格納されるスロープの取手構造の提供を目的とする。
【課題を解決するための手段】
【０００５】
本発明に係るスロープの取手取付構造は、スロープを展開操作するための取手の取付構造であって、前記スロープは展開操作する取手と、前記取手を回動可能に取り付けるための取付部とを有し、前記取付部は取付孔を有し、前記取手は前記取付孔に挿通連結した取付軸部を有し、前記取付孔は長孔形状になっていることを特徴とする。
ここで、前記長孔形状の長軸方向の長軸中心線とスロープ面との連結角（θ）は鋭角であるのが好ましい。
【０００６】
本発明において、スロープは車椅子等の乗降時には車外側に展開し、路面と車両フロアとの間に架け渡され、スロープ面を形成でき、使用しない時には車両のフロア側に反転収納できるスロープであれば、その構造に制限がなく、複数のスロープ部材をスライド式に伸縮するものや複数のスロープ部材を折り畳み収納するものが例として挙げられる。
本発明において、取手は車室側に反転したスロープ面の下面側に取り付けられていて、スロープの自重により、取手がスロープ側に倒れるように折り畳まれる。
【発明の効果】
【０００７】
本発明に係る取手の取付構造にあっては、取手の取付軸部を回動支持した取付孔の断面形状を長孔形状にしたことにより、取手にスロープの倒れ込み方向の自重が加わる際に取付軸部が長孔の長軸方向に沿って移動するので、取手の先端側がスロープ側に倒れ込みやすくなる。
【図面の簡単な説明】
【０００８】
【図１】（ａ）〜（ｃ）は取手が倒れる流れを示す。
【図２】スロープの先端側に設けた取手の構造例を示す。
【発明を実施するための形態】
【０００９】
本発明に係るスロープの取手の取付構造例を以下、図に基づいて説明するが、本発明はこれに限定されない。
【００１０】
図２に、スロープ１０の展開先端側を部分的に示す。
図２（ａ）は、スロープを車外側に展開し、路面と車両のフロアとの間にスロープ面を形成した状態を部分的に示す。
スロープ面にリング形状の取手１２が、スロープ１０側に設けた取付部１１に回動自在に連結されている。
このスロープ１０を車室内側に反転し、スロープ１０が車両のフロア１に格納（収納）される状態を図１に示す。
【００１１】
リング状の取手１２は、一方がシャフト状の取付軸部１２ａになっていて、他方が手でのつかみ部となりカラー１２ｂが取り付けられている。
スロープ１０側に固定した取付部１１は、長孔の取付孔１１ａを有し、この取付孔１１ａに取手の取付軸部１２ａが挿通連結されている。
取付軸部１２ａは断面円形状になっていて、取付孔１１ａは短径と長径との長孔形状になっていて、長径側の長軸中心線１３とスロープ１０のスロープ面との間の連結角（取付角）θが９０°以下の鋭角になっている。
【００１２】
図１に基づいて取手１２の動きを説明する。
スロープ１０を車室内側に格納するのに、図１（ａ）に示すようにスロープ１０のスロープ面が車室内側に倒れ込む。
取手１２は真下に垂下した状態で、つかみ部側のカラー１２ｂがフロア１の上面に当たる。
その荷重が取付軸部１２ａに伝わるが、取付孔１１ａが鋭角の連結角θからなるので、取付軸部１２ａが長孔の長径方向に沿ってズレる。
これにより、取手１２のつかみ側が図１（ｂ），（ｃ）に示すように、そのまま倒れ込むので、スロープ１０がスムーズに車室内側に格納される。
【符号の説明】
【００１３】
１０      スロープ
１１      取付部
１１ａ    取付孔
１２      取手
１２ａ    取付軸部
１３      長軸中心線
【図１】
2020141832.tif 000003
【図２】
2020141832.tif 000004
(57)【要約】      （修正有）【課題】視覚障害者、弱視者、老人、遠隔視聴者、夜間視聴者などにおいてテレビ番組表を把握するために、テレビ番組表から放送局、放送時間帯、放送内容を音声に変換して聞き取るテレビ番組表変換システムを提供する。【解決手段】テレビ番組表変換システムは、視聴者が番組表をテレビリモコンの十字キーでカーソルを移動検索することで放送局、放送時間帯、放送内容などの番組表の表示内容を音声に変換して出力する。【選択図】図１
2020141391.tif 000002
【特許請求の範囲】
【請求項１】
テレビ放送番組表を音声に変換して聞くことができる。
【請求項２】
前項１の番組表を外国語に変換して聞くことができる。
【発明の詳細な説明】
【技術分野】
【０００１】  本発明は、テレビ番組表に表示される枠内の文字列を音声に変換するシステムに関する。
【背景技術】
【０００２】  従来からテレビ番組表はリモコン等（以下「リモコン」という）を用いて番組表ボタンを押下して表示する。【０００３】  テレビ番組表の放送局、番組放送枠を選択する場合には、リモコンの十字キー等（以下「十字キー」という）を使用して放送局、時間枠をカーソル移動して好みの番組を選択して内容を目で読み取るシステムが一般的に知られている。
【発明の開示】
【解決しようとする課題】
【０００４】  テレビ番組表の放送局、番組放送枠の開始時間、終了時間、放送枠の内容しることは、視覚障害のある人には困難である。
【０００５】  また、遠くからテレビを見ている場合には、番組を検索するときにテレビ画面に近づいてのリモコン操作が必要になる。
【課題を解決するための手段】
【０００６】  テレビ番組表表示システムにおいて、現状は番組枠の内容を文字列で表示するのみであるが、番組表をテレビリモコンの十字キーでカーソルを移動表示することで放送局、時間番組の表示内容を音声に変換するシステムである。
【発明の効果】
【０００７】  本発明によるテレビ番組表音声変換システムは視力障害者、弱視者、老人、遠隔試聴者などに効果を発揮する。
【発明を実施するための最良の形態】
【０００８】  視覚障害者、弱視者、老人、遠隔視聴者、夜間視聴者などにおいてテレビ番組表を把握したいという要望は強く、本発明はテレビ番組表をリモコンのカーソル移動により放送局、放送時間帯、放送内容を音声に変換して聞き取ることを実現する。
【実施例１】
【０００９】  図１は、テレビ視聴者とテレビ機器の位置関係を図示したものである。また、テレビ視聴者がテレビリモコンを持っている。【００１０】  図２は、一般的なテレビリモコンの概念図である。【００１１】  図３は、一般的なテレビ番組表の概念図である。【００１２】  図４は、テレビ番組表をテレビリモコンの十字キーで目的の番組時間枠（朝７時、ＮＨＫ、黒太線枠）に移動した状態を示す。そして、黒太線枠にカーソルが移動するとここに書かれている文字を自動で音声変換することの概念図である。
【図面の簡単な説明】
【００１３】
【図１】テレビ視聴者とテレビ機器の位置関係を図示したものである。また、テレビ視聴者がテレビリモコンを持っている。
【図２】一般的なテレビリモコンの概念図である。
【図３】一般的なテレビ番組表の概念図である。
【図４】テレビ番組表をテレビリモコンの十字キーで目的の番組時間枠（朝７時、ＮＨＫ、黒太線枠）に移動した状態を示す。そして、黒太線枠にカーソルが移動するとここに書かれている文字を自動で音声変換することの概念図である。
【符号の説明】
【００１４】  １        テレビ視聴機
２        テレビリモコン
２０１    テレビ番組表表示ボタン
３        テレビ視聴者
４        テレビリモコン十字キー
４０１    カーソル上向き移動キー
４０２    カーソル右向き移動キー
４０３    カーソル下向き移動キー
４０４    カーソル左向き移動キー
５        テレビ番組表
５０１    テレビ番組表横１列目放送局名
５０２    テレビ番組表横２列目放送局名
５０３    テレビ番組表横３列目放送局名
・              ・
・              ・
・              ・
・              ・
５１１    テレビ番組表縦１番目時間帯
５１２    テレビ番組表縦２番目時間帯
５１３    テレビ番組表縦３番目時間帯
５１４    テレビ番組表縦４番目時間帯
・              ・
・              ・
・              ・
・              ・
６        テレビ番組表カーソル移動番組場所の内容の文字説明
６０１    テレビ番組表カーソル移動番組場所の内容を音声説明
６０２    カーソル移動場所の音声説明状況の概念
６０３    カーソル移動場所の音声説明状況を言葉で表現した状況
【図１】
2020141391.tif 000003
【図２】
2020141391.tif 000004
【図３】
2020141391.tif 000005
【図４】
2020141391.tif 000006